(57)【要約】      （修正有）【課題】無駄なトラヒックをなくすようにした移動通信システムにおけるセッション管理方法を提供する。【解決手段】無線基地局装置と移動機との間で無線通信が行われ、前記無線基地局装置に接続されたサーバ装置と前記移動機との間でセッションの確立を確認するセッション維持信号が送受信される移動通信システムにおけるセッション管理方法であって、前記無線基地局装置又は前記移動機は、前記無線基地局装置と前記移動機との間の無線チャネルにおける接続状態に応じて、前記サーバ装置又は前記移動機内からそれぞれ送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置又は前記移動機内にそれぞれ送信する。【選択図】図５
2013211747.tif 000002
【特許請求の範囲】
【請求項１】
無線基地局装置と移動機との間で無線通信が行われ、前記無線基地局装置に接続されたサーバ装置と前記移動機との間でセッションの確立を確認するセッション維持信号が送受信される移動通信システムにおけるセッション管理方法であって、
前記無線基地局装置又は前記移動機は、前記無線基地局装置と前記移動機との間の無線チャネルにおける接続状態に応じて、前記サーバ装置又は前記移動機内からそれぞれ送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置又は前記移動機内にそれぞれ送信する、
ことを特徴とするセッション管理方法。
【請求項２】
前記無線基地局装置又は前記移動機は、前記接続状態が閾値よりも良好なとき、前記第１のセッション維持信号を前記無線チャネルに送信しないで、前記第２のセッション維持信号を前記サーバ装置又は前記移動機内にそれぞれ送信することを特徴とする請求項１記載のセッション管理方法。
【請求項３】
前記無線基地局装置又は前記移動機は、前記第２のセッション維持信号として、前記第１のセッション維持信号に対して送信元と送信先を入れ替えたセッション維持信号、又は、前記第１のセッション維持信号に対してセッションが維持されていることを表わすＡＣＫ信号を送信することを特徴とする請求項２記載のセッション管理方法。
【請求項４】
前記無線基地局装置又は前記移動機は、前記接続状態が閾値より劣化したとき、前記第２のセッション維持信号の送信を停止し、前記第１のセッション維持信号を前記無線チャネルに送信することを特徴とする請求項１記載のセッション管理方法。
【請求項５】
前記無線基地局装置又は前記移動機は、前記接続状態が接続断の状態になったとき、前記セッション切断信号を前記サーバ装置又は前記移動機内にそれぞれ送信することを特徴とする請求項１記載のセッション管理方法。
【請求項６】
前記無線基地局装置又は前記移動機は、前記接続状態が接続断から接続の状態に回復したとき、前記セッション確立信号を送信することを特徴とする請求項１記載のセッション管理方法。
【請求項７】
移動機と無線通信を行い、サーバ装置と接続され、前記サーバ装置と前記移動機との間でセッションの確立を確認するセッション維持信号が送受信される無線基地局装置において、
前記移動機との間の無線チャネルにおける接続状態に応じて、前記サーバ装置から送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置に送信するセッション管理信号生成部
を備えることを特徴とする無線基地局装置。
【請求項８】
無線基地局装置と無線通信を行う移動機において、
前記無線基地局装置と接続されたサーバ装置との間でセッションの確立を確認するセッション維持信号を送受信するアプリケーション処理部と、
前記無線基地局装置との間の無線チャネルにおける接続状態に応じて、前記アプリケーション処理部から出力された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を前記アプリケーション処理部に送信する、
ことを特徴とする移動機。
【請求項９】
無線基地局装置と移動機との間で無線通信が行われ、前記無線基地局装置に接続されたサーバ装置と前記移動機との間でセッションの確立を確認するセッション維持信号が送受信される移動通信システムにおいて、
前記無線基地局装置又は前記移動機は、前記無線基地局装置と前記移動機との間の無線チャネルにおける接続状態に応じて、前記サーバ装置又は前記移動機内からそれぞれ送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置又は前記移動機内にそれぞれ送信するセッション管理信号生成部をそれぞれ備えることを特徴とする移動通信システム。
【発明の詳細な説明】
【技術分野】
【０００１】
本発明は、移動通信システムにおけるセッション管理方法、無線基地局装置、移動機、及び移動通信システムに関する。
【背景技術】
【０００２】
現在、携帯電話システムや無線ＬＡＮ（Local Area Network）などの移動通信システムが広く利用されている。例えば、現在では、第３．５世代移動通信システム（例えば、Ｗ−ＣＤＭＡ（Wideband-Code Division Multiple Access ）による方式がある）や第３．９世代移動通信システム（例えば、ＬＴＥ（Long Term Evolution）による方式がある）が日本国内で利用されている。
【０００３】
さらに、次世代の通信技術として、例えば、標準化団体の１つである３ＧＰＰ（3rd Generation Partnership Project）では、ＬＴＥを発展させたＬＴＥ−Ａ（Long Term Evolution−Advanced）と呼ばれる移動通信システムが提案されている。
【０００４】
このような移動通信システムにおいては、無線チャネルの管理は、無線状況に応じて無線基地局装置（以下、基地局と称する）が行っている。例えば、基地局は、移動機との間で接続処理を行ったり、切断処理を行ったりすることができる。
【０００５】
図１３は、基地局５００において無線チャネルの管理が行われている様子を表わしている図である。基地局５００と移動機７００との間は、無線Ｉ／Ｆ５１０，７１０を介して無線チャネルが確立されている。例えば、基地局５００は、無線Ｉ／Ｆ５１０を介して無線チャネルの確立や切断などを制御することができる。
【０００６】
一方、移動機７００では、ホームページの閲覧や通信ゲームなどのアプリケーションサービスをアプリケーション処理部７２０において実行することができる。しかし、基地局５００は、アプリケーションサービスが実行される際のセッション管理を行っていない。アプリケーションサービスのセッション管理は、例えば、サーバ６００や移動機７００で行われる。
【０００７】
このように、移動通信システムにおいては、無線チャネルの管理とアプリケーションサービスのセッション管理は別々に行われる場合がある。
【０００８】
このような移動通信システムに関する技術として、例えば、以下のような技術がある。すなわち、無線区間の状態についての測定結果に基づいて、通信プロトコルより上位のＴＣＰレイヤのウィンドウサイズを変更することで、ＴＣＰレベルの測定による無線区間における輻輳のタイミングを読み誤ることなく、効率的な通信を行うようにした通信装置がある。
【０００９】
また、移動端末がハンドオーバを行う際に、移動端末のＩＰレイヤが接続ポイントの変更を開始したときと終了したときとで通知信号をトランスポートレイヤに送信することで、輻輳によるセッション中断とハンドオーバとよるセッション中断を区別するようにした装置もある。
【先行技術文献】
【特許文献】
【００１０】
【特許文献１】特開２００９−２１８９１２号公報
【特許文献２】特開２００５−５７３９７号公報
【発明の概要】
【発明が解決しようとする課題】
【００１１】
例えば、ユーザが移動機を利用して通信を行う場合、ユーザの利用タイミングで無線チャネルの制御とサービスのセッション制御が行われる。例えば、ユーザがサービスの利用を受けたい場合、ユーザは移動機を操作することで、無線チャネルの確立（例えば、発信）とサービスセッションの確立（例えば、Ｗｅｂの閲覧）を実行することができる。また、ユーザがサービスの利用を終了したい場合も、移動機を操作することで、サービスセッションの切断や無線チャネルの切断を実行することができる。従って、このような場合、無線チャネルの管理とアプリケーションサービスのセッション管理は、独立ではあるものの、別々に制御されることはない。
【００１２】
しかし、移動機では、ユーザが操作する以外にもさまざまな通信が行われる場合もある。このような場合、無線チャネルの管理とアプリケーションのセッション管理とが別々に制御されことで、例えば、サービスセッションの接続状態が無線チャネルの接続状態に追従できず、無駄なトラヒックや無駄な無線リソースが発生する場合がある。具体的には、例えば、以下のような場合がある。すなわち、
１）例えば、アプリケーション処理部６１０，７４０で実行されるアプリケーションは、送達確認やヘルスチェックなどの相手側の応答を待って、セッションを切断することができる。
【００１３】
従って、アプリケーションは、無線チャネルにおいて無線通信ができなくなった場合、無線チャネルから無線通信の不通を直接検出するのではなく、ヘルスチェックなどに対する応答が来なくなったことを検出してセッションを切断することができる。
【００１４】
そのため、無線チャネルが不通になってからサービスのセッションが切断されるまでタイムラグが発生し、その間、例えばサーバ６００はデータを送信し続けるものの、移動機７００ではデータを受信することはできない。従って、タイムラグの間にサーバ６００が送信するデータは無駄なトラヒックとなる場合がある。
【００１５】
２）例えば、図１３に示すように、無線チャネルにおいては基地局５００と移動機７００との間で同期チェックが行われる場合がある。同期チェックは、例えば、パイロット信号など用いて行われ、これにより無線接続の確認を行うことができる。
【００１６】
一方、サーバアプリケーション処理部６１０とユーザアプリケーション処理部７４０との間では、上述したヘルスチェックなどにより、例えば、サービスセッションが維持されているかを確認するようにしている。ヘルスチェックは、例えば、ＴＣＰ（Transmission Control Protocol）におけるＫＥＥＰＡＬＩＶＥなどのヘルスチェック信号が用いられる。
【００１７】
無線区間に着目すると、無線チャネルの接続の確認がパイロット信号などにより行われる一方で、サービスセッションの接続の確認がヘルスチェック信号などにより行われる。従って、無線区間において、接続の確認について２つの信号が送受信されることになり、無駄なトラヒックとなる。
【００１８】
この場合、基地局５００は、他の信号と比較して短いパケット長を有するヘルスチェック信号を送受信するとき、無線フレーム中の一部分の無線リソースを用いて送受信するため、他の信号と比較して無線フレーム中の空きが多くなる。従って、基地局５００がヘルスチェック信号を送信する場合、他の信号を送信する場合と比較して、無線リソースの利用効率が悪化する場合がある。
【００１９】
さらに、基地局５００は定期的にヘルスチェック信号を送信する。そのため、移動機７００は、ヘルスチェック信号を受信しない場合と比較して消費電力が増加する場合もある。
【００２０】
上述したウィンドウサイズを変更する技術や、ＩＰレイヤがトランスポートレイヤに対して接続ポイントの変更や終了の通知信号を送信する技術は、例えば、上記１）及び２）については何ら考慮されていない。
【００２１】
すなわち、上述したウィンドウサイズを変更する技術は、無線品質に基づいてウィンドウサイズを変更するものであって、例えばＴＣＰレベルのデータについては何ら関与しておらず、無駄なトラヒックが発生しても対応することができない。
【００２２】
また、ＩＰレイヤがトランスポートレイヤに対して接続ポイントの変更や終了の通知信号を送信する技術においても、接続ポイントの変更などを通知するだけであり、例えば、ＴＣＰレベルのデータについては何ら関与していない。よって、かかる技術では、無駄なトラヒックが発生しても対応することができない。
【００２３】
そこで、本発明の一目的は、無駄なトラヒックをなくすようにした移動通信システムにおけるセッション管理方法、無線基地局装置、移動機、及び移動通信システムを提供することにある。
【００２４】
また、本発明の一目的は、無線リソースを有効活用できるようにした移動通信システムにおけるセッション管理方法、無線基地局装置、移動機、及び移動通信システムを提供することにある。
【００２５】
さらに、本発明の一目的は、移動機の消費電力の削減を図るようにした移動通信システムにおけるセッション管理方法、無線基地局装置、移動機、及び移動通信システムを提供することにある。
【課題を解決するための手段】
【００２６】
一態様によれば、無線基地局装置と移動機との間で無線通信が行われ、前記無線基地局装置に接続されたサーバ装置と前記移動機との間でセッションの確立を確認するセッション維持信号が送受信される移動通信システムにおけるセッション管理方法であって、前記無線基地局装置又は前記移動機は、前記無線基地局装置と前記移動機との間の無線チャネルにおける接続状態に応じて、前記サーバ装置又は前記移動機内からそれぞれ送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置又は前記移動機内にそれぞれ送信する。
【発明の効果】
【００２７】
無駄なトラヒックをなくすようにした移動通信システムにおけるセッション管理方法、無線基地局装置、移動機、及び移動通信システムを提供することができる。また、無線リソースを有効活用できるようにした移動通信システムにおけるセッション管理方法、無線基地局装置、移動機、及び移動通信システムを提供することができる。さらに、移動機の消費電力の削減を図る移動通信システムにおけるセッション管理方法、無線基地局装置、移動機、及び移動通信システムを提供することができる。
【図面の簡単な説明】
【００２８】
【図１】図１は移動通信システムの構成例を表わす図である。
【図２】図２は移動通信システムの構成例を表わす図である。
【図３】図３は無線基地局装置の構成例を表わす図である。
【図４】図４は移動機の構成例を表わす図である。
【図５】図５は上り無線チャネルの品質向上契機で行われる動作例のシーケンス図である。
【図６】図６（Ａ）及び図６（Ｂ）はＴＣＰパケットデータの構成例を表わす図である。
【図７】図７（Ａ）〜図７（Ｃ）はＳＣＴＰパケットデータの構成例を表わす図である。
【図８】図８は下り無線チャネルの品質向上契機で行われる動作例のシーケンス図である。
【図９】図９は上り無線チャネルの品質劣化契機で行われる動作例のシーケンス図である。
【図１０】図１０は下り無線チャネルの品質劣化契機で行われる動作例のシーケンス図である。
【図１１】図１１は無線チャネルが切断した場合の動作例を表わすシーケンス図である。
【図１２】図１２は無線チャネルの接続が回復した場合の動作例を表わすシーケンス図である。
【図１３】図１３は無線チャネルの管理などが行われている様子を表わす図である。
【発明を実施するための形態】
【００２９】
以下、本発明を実施するための形態について説明する。
【００３０】
［第１の実施の形態］
最初に第１の実施の形態について説明する。図１は第１の実施の形態における移動通信システム１０の構成例を表わす図である。移動通信システム１０は、無線基地局装置１００、移動機２００、及びサーバ装置４００とを備える。
【００３１】
移動通信システム１０において、サーバ装置４００と移動機２００との間では、サーバ装置４００と移動機２００との間のセッションの確立を確認するセッション維持信号が送受信される。
【００３２】
例えば、サーバ装置４００と移動機２００は、定期的にセッション維持信号を送信することもできる。移動機２００はサーバ装置４００から送信されたセッション維持信号を受信することで、サーバ装置４００との間のセッションが確立されていることを確認できる。また、サーバ装置４００も、移動機２００から送信されたセッション維持信号を受信することで、移動機２００との間のセッションが確立されていることを確認できる。或いは、サーバ装置４００は、移動機２００に送信したセッション維持信号に対する応答を受信することで、セッションが確立されていることを確認することもできる。
【００３３】
無線基地局装置１００は、サーバ装置４００と接続され、また、移動機２００との間で無線通信を行う。無線基地局装置１００はセッション管理信号生成部１３０を備える。
【００３４】
セッション管理信号生成部１３０は、例えば、移動機２００との間の無線チャネルにおける接続状態に応じで、サーバ装置４００から送信された第１のセッション維持信号を無線チャネルに送信しないで第１のセッション維持信号に対する第２のセッション維持信号をサーバ装置４００に送信する。また、セッション管理信号生成部１３０は、例えば、移動機２００との間の無線チャネルにおける接続状態に応じで、セッションが切断したことを表わすセッション切断信号、又はセッションが回復したことを表わすセッション確立信号をサーバ装置４００に送信する。
【００３５】
一方、移動機２００は、セッション管理信号生成部２３０を備える。セッション管理信号生成部２３０は、例えば、無線基地局装置１００との間の無線チャネルにおける接続状態に応じて、移動機内２４０から送信された第１のセッション維持信号を無線チャネルに送信しないで第１のセッション維持信号に対する第２のセッション維持信号を移動機内２４０に送信する。また、セッション管理信号生成部２３０は、例えば、無線基地局装置１００との間の無線チャネルにおける接続状態に応じて、セッション切断信号、又はセッション確立信号を移動機内２４０に送信する。
【００３６】
例えば、移動機２００内にユーザアプリケーション処理部２４０を備え、ユーザアプリケーション処理部２４０によりセッション維持信号が送信される場合、セッション管理信号生成部２３０は、応答信号などをユーザアプリケーション処理部２４０に送信する。
【００３７】
このように、無線基地局装置１００又は移動機２００は、無線チャネルの接続状態に応じて、第１のセッション維持信号を無線チャネルに送信しないようにすることができる。例えば、無線チャネルの接続状態が閾値より良好な場合、無線基地局装置１００又は移動機２００は、無線チャネルに第１のセッション維持信号を送信しないようにすることができる。
【００３８】
例えば、無線チャネルの接続状態が閾値より良好な場合、無線基地局装置１００や移動機２００がデータを送信すれば送信先に届くという保証はある程度とれているはずである。そのような状況において、無線基地局装置１００や移動機２００が第１のセッション維持信号を無線チャネルに送信するのは、無駄なトラヒックとなる可能性がある。
【００３９】
従って、無線基地局装置１００と移動機２００は、そのような場合、第１のセッション維持信号を送信しないことで、移動通信システム１０は無駄なトラヒックをなくすことができる。
【００４０】
また、無線チャネルにおいて第１のセッション維持信号が送信されなくなるため、例えば、無線基地局装置１００は無線リソースをその他のデータなどの送信に利用することができる。従って、本移動通信システム１０は、無線リソースの有効活用化を図ることができる。
【００４１】
さらに、無線チャネルにおいて第１のセッション維持信号が送信されないため、移動機２００は例えば定期的に受信する第１のセッション維持信号を受信することがなくなり、本移動通信システム１０は、その分、移動機２００の消費電力削減を図ることもできる。
【００４２】
また、無線基地局装置１００と移動機２００は、無線チャネルの接続状態に応じて、セッション切断信号やセッション確立信号をサーバ装置４００と移動機２００内にそれぞれ送信することができる。
【００４３】
例えば、サーバ装置４００はセッション切断信号を受信することで、無線チャネルの接続状態が接続断したことを把握することができる。そして、サーバ装置４００は、セッション切断信号の受信を契機に、移動機２００に向けてデータを送信しないようにすることができる。従って、本移動通信システム１０は無駄なトラヒックをなくすことができる。
【００４４】
さらに、サーバ装置４００は、例えば、セッション確立信号を受信することで、無線チャネルの接続状態が回復したことを把握し、移動機２００に向けて速やかにデータの送信を開始することができる。
【００４５】
［第２の実施の形態］
＜全体構成例＞
次に第２の実施の形態について説明する。図２は移動通信システム１０の構成例を表わす図である。
【００４６】
移動通信システム１０は、無線基地局装置（以下、「基地局」と称する場合がある）１００−１〜１００−３、移動機２００−１〜２００−４、ネットワーク３００、及びサーバ装置（以下、「サーバ」と称する場合がある）４００を備える。
【００４７】
図２の例では、基地局１００−１と移動機２００−１は、３．５Ｇアクセスネットワークを構成し、例えば、Ｗ−ＣＤＭＡ方式により無線通信を行っている。また、基地局１００−２と移動機２００−２，２００−３は、３．９Ｇアクセスネットワークを構成し、例えば、ＬＴＥ方式により無線通信を行っている。さらに、基地局１００−３と移動機２００−４は、４Ｇアクセスネットワークを構成し、例えば、第４世代移動通信システムに含まれるものとして無線通信を行っている。
【００４８】
図２に示す基地局１００−１〜１００−３や移動機２００−１〜２００−４の接続形態などは一例であって、ある１つの基地局により、複数種類の無線通信を行うこともできるし、移動機２００−１〜２００−４も１つの移動機により、複数種類の無線通信を行うこともできる。どの基地局１００−１〜１００−３においても本実施の形態を実施することができるし、どの移動機２００−１〜２００−４においても本実施の形態を実施することは可能である。移動通信システム１０における基地局１００−１〜１００−３と移動機２００−１〜２００−４の数も問わない。
【００４９】
図２の例においては、例えば、各基地局１００−１〜１００−３は、ネットワーク３００を介してサーバ４００と接続される。例えば、ネットワーク３００はインターネットなどであって、各基地局１００−１〜１００−３とサーバ４００との間では、例えば、ＩＰプロトコルによるデータが送受信される。
【００５０】
各移動機２００−１〜２００−４は、各基地局１００−１〜１００−３のセル範囲において、各基地局１００−１〜１００−３とそれぞれ無線通信を行うことができる。各移動機２００−１〜２００−４は、基地局１００−１〜１００−３などを介して、サーバ４００と接続することで、ホームページの閲覧や通信ゲームなど、種々のアプリケーションサービスの提供を受けることができる。
【００５１】
各基地局１００−１〜１００−３は、サーバ４００から送信されたデータを無線信号に変換して各移動機２００−１〜２００−４に無線送信することができる。また、各基地局１００−１〜１００−３は、各移動機２００−１〜２００−４から送信された無線信号を受信して、無線信号からデータを抽出し、当該データをサーバ４００に送信することができる。
【００５２】
＜無線基地局装置１００の構成例＞
次に、基地局１００−１〜１００−３の構成例を説明する。ただし、各基地局１００−１〜１００−３は、それぞれの通信方式により無線信号を送信したり受信したりするため、その構成は異なるものと考えることができるが、本実施の形態では説明の容易のため、どのような通信方式においても実施することが可能として説明する。従って、基地局１００−１〜１００−３における本実施の形態の構成例は、例えばいずれも同一構成であって、とくに断らない限り、基地局１００として説明することにする。後述する移動機２００−１〜２００−４においても、とくに断らない限り移動機２００として説明する。
【００５３】
図３は基地局１００の構成例を表わす図である。
【００５４】
基地局１００は、無線インターフェース部１１０、復調・無線測定部１１５、無線プロトコル処理部１２０、変調部１２５、セッション管理信号生成部１３０、ネットワークプロトコル処理部１３５、ネットワークインターフェース部１４０、及び呼制御部１４５を備える。
【００５５】
なお、基地局１００は、例えば、ＤＳＰ（Digital Signal Processor）１５５、ネットワークプロセッサ１６０、ＣＰＵ（Central Processing Unit）１６５、無線インターフェース部１１０、及びネットワークインターフェース部１４０を備えるようにしてもよい。
【００５６】
この場合、ＤＳＰ１５５は、例えば、復調・無線測定部１１５と無線プロトコル処理部１２０、及び変調部１２５に対応する。また、ネットワークプロセッサ１６０は、例えば、セッション管理信号生成部１３０とネットワークプロトコル処理部１３５に対応する。また、ＣＰＵ１６５は、例えば、呼制御部１４５に対応する。
【００５７】
無線インターフェース部１１０は、例えば、アンテナなどである。無線インターフェース部１１０は、移動機２００から送信された無線信号を受信し、復調・無線測定部１１５に出力し、変調部１２５から出力された無線信号を移動機２００に送信する。
【００５８】
復調・無線測定部１１５は、例えば、無線信号に対して、周波数変換処理や変調処理、誤り訂正復号化処理などを施し、所定のパケットデータ（ベースバンド信号）に変換し、無線プロトコル処理部１２０に出力する。このため、復調・無線測定部１１５は、周波数変換処理や変調処理などを行うことができるよう、例えば、周波数変換回路や変調回路、誤り訂正復号化回路などを備えるようにしてもよい。
【００５９】
また、復調・無線測定部１１５は、例えば、移動機２００から送信された無線信号に基づいて、移動機２００との間の無線区間における無線品質を測定する。この場合、無線品質は、移動機２００から送信された無線信号に基づいて測定されるため、上り無線品質となる。復調・無線測定部１１５は、測定した上り無線品質の測定結果を呼制御部１４５に出力する。なお、復調・無線測定部１１５は、無線品質の測定に関しては、例えば、復調及び復号後の有意な信号と復号しても有意でない信号との比率（例えば、ＳＩＮＲ（Signal to Interference plus Noise Ratio）など）により測定することができる。
【００６０】
無線プロトコル処理部１２０は、例えば、復調・無線測定部１１５から出力された無線通信プロトコルによる所定のパケットデータをＴＣＰプロトコルによるＴＣＰパケットデータに変換する。無線プロトコル処理部１２０は、変換後のＴＣＰパケットデータ（例えばユーザデータ）をセッション管理信号生成部１３０に出力する。また、無線プロトコル処理部１２０は、例えば、所定のパケットデータに制御信号が含まれる場合、制御信号を抽出し、呼制御部１４５に出力する。
【００６１】
さらに、無線プロトコル処理部１２０は、例えば、セッション管理信号生成部１３０から出力されたＴＣＰパケットデータ（例えばユーザデータ）と、呼制御部１４５から出力された制御信号とを受け取り、無線通信プロトコルに関する所定のパケットデータに変換する。無線プロトコル処理部１２０は、変換後のパケットデータを変調部１２５に出力する。
【００６２】
変調部１２５は、例えば、無線プロトコル処理部１２０から出力されたパケットデータに対して、誤り訂正符号化処理や変調処理、周波数変換処理などを施して、無線信号に変換する。変調部１２５は、変換後の無線信号（例えば下り無線信号）を無線インターフェース部１１０に出力する。
【００６３】
セッション管理信号生成部１３０は、例えば、ネットワークプロトコル処理部１３５や無線プロトコル処理部１２０から出力されたユーザデータがセッション維持信号かサービスデータ本体であるかを識別する。
【００６４】
また、セッション管理信号生成部１３０は、呼制御部１４５からの指示に応じて、サーバ４００から送信されたセッション維持信号（例えば第１のセッション維持信号）に対する応答信号（例えば第２のセッション維持信号）、セッション切断信号、又はセッション確立信号を生成する。そして、セッション管理信号生成部１３０は、生成した応答信号、セッション切断信号、又はセッション確立信号を、ネットワークプロトコル処理部１３５等を介してサーバ４００に送信する。
【００６５】
例えば、セッション管理信号生成部１３０は、ネットワークプロトコル処理部１３５からセッション維持信号を受け取っても、これを無線プロトコル処理部１２０に出力しない。この場合、セッション管理信号生成部１３０は、セッション維持信号に対する応答信号を、ネットワークプロトコル処理部１３５等を介してサーバ１４０に送信する。
【００６６】
なお、セッション維持信号、セッション維持信号に対する応答信号、セッション切断信号、及びセッション確立信号の詳細などは後述する。
【００６７】
また、セッション管理信号生成部１３０は、例えば、ユーザデータがサービスデータ本体であるとき、当該ユーザデータを通過させて、無線プロトコル処理部１２０やネットワークプロトコル処理部１３５に出力する。
【００６８】
ここで、サービスデータとは、例えば、ユーザにサービス（例えば、Ｗｅｂの閲覧、音声サービス）を提供する際に用いられるデータであり、文字データや映像データ、音声データなどである。サービスデータは、例えば、移動機２００のユーザアプリケーション処理部２４０やサーバ４００のサーバアプリケーション処理部４１０において処理が行われ、これらの間で交換されるデータでもある。
【００６９】
ネットワークプロトコル処理部１３５は、例えば、セッション管理信号生成部１３０から出力されたユーザデータや、応答信号、セッション切断信号、又はセッション確立信号などに対して、ネットワークプロトコルに従うパケットデータに変換する。例えば、ネットワークプロトコル処理部１３５は、ＴＣＰパケット形式のデータに対して、ＩＰデータ領域にＴＣＰパケットデータを挿入し、更に、ＩＰヘッダを付加して、ＩＰデータに変換することができる。
【００７０】
また、ネットワークプロトコル処理部１３５は、例えば、呼制御部１４５から出力されるサーバ向け制御信号を受け取り、ネットワークプロトコルのパケットデータに変換する。ネットワークプロトコル処理部１３５は、変換後のパケットデータをネットワークインターフェース部１４０に出力する。
【００７１】
さらに、ネットワークプロトコル処理部１３５は、例えば、ネットワークインターフェース部１４０から出力されたネットワークプロトコルのパケットデータを、基地局１００内で処理できる形式に変換し、変換後のパケットデータをセッション管理信号生成部１３０に出力する。例えば、ネットワークプロトコル処理部１３５は、ネットワークインターフェース部１４０から出力されたＩＰデータに対して、ＩＰデータ領域に含まれるＴＣＰパケットデータを抽出し、ＴＣＰパケットデータをセッション管理信号生成部１３０に出力することができる。
【００７２】
ネットワークインターフェース部１４０は、例えば、ネットワーク３００に接続されたアダプタである。ネットワークインターフェース部１４０は、ネットワーク３００を介して、サーバ４００から送信されたデータを受信して、ネットワークプロトコル処理部１３５に出力する。また、ネットワークインターフェース部１４０は、ネットワークプロトコル処理部１３５から出力されたデータなどを、ネットワーク３００を介して、サーバ４００に送信する。
【００７３】
呼制御部１４５は、例えば、復調・無線測定部１１５から出力された上り無線品質測定結果を受け取り、上り無線品質に基づいて、セッション管理信号生成部１３０に対して、種々の指示を行う。
【００７４】
例えば、呼制御部１４５は、セッション維持信号に対する応答信号の生成及び送信の指示、応答信号の生成及び送信の停止の指示、セッション切断信号の生成及び送信の指示、又はセッション確立信号の生成及び送信の指示などと行う。この指示に基づいて、セッション管理信号生成部１３０では、例えば、セッション維持信号、セッション切断信号、又はセッション確立信号を生成し、ユーザデータが疎通しているサーバ４００に対して、これらの信号を送信することができる。
【００７５】
また、呼制御部１４５は、例えば、無線区間向け制御信号を生成し、無線プロトコル処理部１２０などを介して移動機２００に送信する。また、呼制御部１４５は、例えば、移動機２００から送信された当該制御信号に対する応答を表わす制御信号を受信する。無線区間向け制御信号としては、例えば、移動機２００に対してハンドオーバを指示する制御信号などがあり、呼制御部１４５は、この応答として、移動機２００からはハンドオーバを行った旨を表わす制御信号を受け取ることができる。
【００７６】
さらに、呼制御部１４５は、例えば、サーバ向け制御信号を生成し、ネットワークプロトコル処理部１３５を介してサーバ４００に送信し、サーバ４００から送信された当該制御信号に対する応答を表わす制御信号を受信する。例えば、サーバ向け制御信号としては、移動機２００との呼の接続を指示する制御信号などがあり、呼制御部１４５は、この応答として、呼の接続が行われたことを表わす制御信号を受け取ることができる。
【００７７】
＜移動機２００の構成例＞
次に移動機２００の構成例について説明する。図４は移動機２００の構成例を表わす図である。
【００７８】
移動機２００は、無線インターフェース部２１０、復調・無線測定部２１５、無線プロトコル処理部２２０、変調部２２５、セッション管理信号生成部２３０、ユーザアプリケーション処理部２４０、及び呼制御部２４５を備える。
【００７９】
なお、移動機２００は、ＤＳＰ２５５、ＣＰＵ２６６、及び無線インターフェース部２１０を備えることもできる。
【００８０】
この場合、ＤＳＰ２５５は、例えば、復調・無線測定部２１５、無線プロトコル処理部２２０、及び変調部２２５に対応する。また、ＣＰＵ２６０は、例えば、セッション管理信号生成部２３０、ユーザアプリケーション処理部２４０、及び呼制御部２４５に対応する。
【００８１】
無線インターフェース部２１０は、例えば、アンテナである。無線インターフェース部２１０は、例えば、基地局１００から送信された無線信号を受信し、復調・無線測定部２１５に出力し、変調部２２５から出力された無線信号を基地局１００に送信する。
【００８２】
復調・無線測定部２１５は、例えば、無線信号に対して、周波数変換処理や変調処理、誤り訂正復号化処理などを施し、所定のパケットデータ（ベースバンド信号）に変換し、無線プロトコル処理部２２０に出力する。このため、復調・無線測定部２１５は、周波数変換処理や変調処理などを行うことができるよう、例えば、周波数変換回路や変調回路、誤り訂正復号化回路などを備えるようにしてもよい。
【００８３】
また、復調・無線測定部２１５は、例えば、基地局１００から送信された無線信号に基づいて、基地局１００との間の無線区間における無線品質（下り無線品質）を測定する。復調・無線測定部２１５は、測定した下り無線品質の測定結果を呼制御部２４５に出力する。なお、復調・無線測定部２１５は、無線品質の測定に関しては、例えば、基地局１００における復調・無線測定部１１５と同様に、復調及び復号後の有意な信号と復調及び復号しても有意でない信号との比率などにより測定することができる。
【００８４】
無線プロトコル処理部２２０は、例えば、復調・無線測定部２１５から出力された無線通信プロトコルによる所定のパケットデータを、無線通信プロトコルより上位のプロトコル（例えば、ＴＣＰプロトコル）のパケットデータに変換する。無線プロトコル処理部２２０は、変換後のパケットデータ（例えばユーザデータ）をセッション管理信号生成部２３０に出力する。また、無線プロトコル処理部２２０は、例えば、所定のパケットデータに制御信号が含まれる場合、制御信号を抽出し、呼制御部２４５に出力する。
【００８５】
さらに、無線プロトコル処理部２２０は、例えば、セッション管理信号生成部２３０から出力されたパケットデータ（例えばユーザデータ）と、呼制御部２４５から出力された制御信号とを受け取り、無線通信プロトコルによる所定のパケットデータに変換する。無線プロトコル処理部２２０は、変換後のパケットデータを変調部２２５に出力する。
【００８６】
変調部２２５は、例えば、無線プロトコル処理部２２０から出力されたパケットデータに対して、誤り訂正符号化処理や変調処理、周波数変換処理などを施して、無線信号に変換し、変換後の無線信号（例えば下り無線信号）を無線インターフェース部１１０に出力する。
【００８７】
セッション管理信号生成部２３０は、例えば、ユーザアプリケーション処理部２４０や無線プロトコル処理部２２０から出力されたユーザデータがセッション維持信号かサービスデータ本体であるかを識別する。
【００８８】
また、セッション管理信号生成部２３０は、例えば、呼制御部２４５からの指示に応じて、ユーザアプリケーション処理部２４０から出力されたセッション維持信号（例えば第１のセッション維持信号）に対する応答信号（例えば第２のセッション維持信号）、セッション切断信号、又はセッション確立信号を生成し、ユーザアプリケーション処理部２４０に送信する。
【００８９】
例えば、セッション管理信号生成部２３０は、ユーザアプリケーション処理部２４０からセッション維持信号を受け取っても、これを無線プロトコル処理部２２０に出力しない。セッション管理信号生成部２３０は、例えば、ユーザアプリケーション処理部２４０からのセッション維持信号に対する応答信号を生成し、応答信号をユーザアプリケーション処理部２４０に送信する。
【００９０】
なお、セッション管理信号生成部２３０は、例えば、ユーザデータがサービスデータ本体であるとき、当該ユーザデータを通過させて、無線プロトコル処理部２２０やユーザアプリケーション処理部２４０に出力する。
【００９１】
呼制御部２４５は、例えば、復調・無線測定部２１５から出力された下り無線品質測定結果を受け取り、下り無線品質の測定結果に基づいて、セッション管理信号生成部２３０に対して、種々の指示を行う。
【００９２】
例えば、呼制御部２４５は、セッション維持信号に対する応答信号の生成及び送信の指示、応答信号の生成及び送信の停止の指示、セッション切断信号の生成及び送信の指示、又はセッション確立信号の生成及び送信の指示などと行う。この指示に基づいて、セッション管理信号生成部２３０では、例えば、ユーザアプリケーション処理部２４０に対して、セッション維持信号に対する応答信号、セッション切断信号、又はセッション確立信号を送信することができる。
【００９３】
また、呼制御部２４５は、例えば、基地局１００から送信された無線区間向け制御信号を、無線プロトコル処理部２２０などを介して受信し、当該制御信号に対する応答を表わす制御信号を生成し、無線プロトコル処理部２２０などを介して基地局１００に送信する。
【００９４】
＜動作例＞
次に本移動通信システム１０における動作例について説明する。動作例については、無線チャネルの接続状態が良好な場合、無線チャネルの接続状態が劣化した場合、無線チャネルの接続が切断した場合、及び無線チャネルの接続が回復した場合の４つの例について順に説明する。
【００９５】
＜１．無線チャネルの接続状態が良好な場合＞
最初に無線チャネルの接続状態が良好な場合の動作例について説明する。
【００９６】
本動作例においては、接続状態は、例えば、無線チャネルにおける無線品質に対応する。例えば、無線品質が向上している場合は、接続状態が閾値よりも良好な場合となっている。また、例えば、無線品質が劣化している場合は、接続状態が閾値よりも劣化している場合となっている。基地局１００の呼制御部１４５や移動機２００の呼制御部２４５は、例えば、無線品質に基づいて、無線チャネルの接続状態が閾値より良好か、又は劣化しているのかを判別することができる。
【００９７】
無線チャネルについては、上り方向（例えば移動機２００から基地局１００への方向）の無線チャネルと下り方向（例えば基地局１００から移動機２００への方向）の無線チャネルの２つがある。
【００９８】
本動作例については、上り無線チャネルの品質向上（又は接続状態が閾値より良好）を契機に行われる場合と、下り無線チャネルの品質向上を契機に行われる場合の２つの例があり、以下、２つの例について説明することにする。
【００９９】
＜１．１  上り無線チャネルの品質向上契機で実施される場合＞
図５は、上り無線チャネルの品質向上契機で本動作例が実施される場合のシーケンス図を表わす。
【０１００】
サーバ４００のサーバアプリケーション処理部４１０と移動機２００のユーザアプリケーション処理部２４０は、互いに、サービスデータを交換する（Ｓ１０）。
【０１０１】
また、サーバアプリケーション処理部４１０は、セッション維持信号を生成して、ユーザアプリケーション処理部２４０に送信する（Ｓ１１）。セッション維持信号は、例えば、セッションが有効であることを通知し合い、確認するための信号である。例えば、ＴＣＰプロトコルでは、ＫＥＥＰＡＬＩＶＥと呼ばれる信号（ヘルスチェック信号と称される場合もある）がセッション維持信号となる。また、例えば、ＳＣＴＰ（Stream Control Transmission Protocol）プロトコルでは、ＨＥＡＲＴＢＥＡＴと呼ばれる信号がセッション維持信号となる。
【０１０２】
図６（Ａ）及び図６（Ｂ）は、ＴＣＰパケットデータの構成例を表わす図である。ＴＣＰパケットデータは、例えば、ＴＣＰヘッダ領域とＴＣＰデータ領域とを有する。ＫＥＥＰＡＬＩＶＥ信号は、例えば、ＴＣＰデータ領域にデータが挿入されておらず（又はデータ領域がなく）、ＴＣＰヘッダ領域のみのＴＣＰパケットデータである。ＫＥＥＰＡＬＩＶＥ信号は、例えば、空のＴＣＰパケットデータと称されることもある。
【０１０３】
例えば、サーバアプリケーション処理部４１０は、ＫＥＥＰＡＬＩＶＥ信号を生成して定期的に送信し（Ｓ１１）、ユーザアプリケーション処理部２４０がこのＫＥＥＰＡＬＩＶＥ信号を受信することで、移動機２００側はサーバ４００とのセッションが維持されていることを確認できる。ユーザアプリケーション処理部２４０がこのＫＥＥＰＡＬＩＶＥ信号を受信できないと、移動機２００はサーバ４００とのセッションが維持されていないことを確認できる。
【０１０４】
一方、ユーザアプリケーション処理部２４０も、ＫＥＥＡＬＩＶＥ信号を生成して、定期的に送信し（Ｓ１２）、サーバアプリケーション処理部４１０がこれを受信することで、サーバ４００側も、移動機２００との間のセッションが維持されていることを確認できる。サーバアプリケーション処理部４１０がＫＥＥＡＬＩＶＥ信号を受信できないと、サーバ４００は移動機２００との間のセッションが維持されていないことを確認できる。
【０１０５】
図７（Ａ）〜同図（Ｃ）は、ＳＣＴＰパケットデータの構成例を表わす図である。ＳＣＴＰパケットデータの各チャンクに含まれるジェネリックチャンクヘッダ（例えば図７（Ｂ））にはタイプ領域（例えば図７（Ｃ））が含まれ、例えばこの領域に「４」が挿入されていると、当該チャンクはＨＥＡＲＴＢＥＡＴとなる。
【０１０６】
例えば、サーバアプリケーション処理部４１０は、ＨＥＡＲＴＢＥＡＴ信号を生成して送信し（Ｓ１１）、ユーザアプリケーション処理部２４０がこれを受信すると、ＨＥＡＲＴＢＥＡＴ信号に対するＡＣＫ（ＨＥＡＲＴＢＥＡＴ  ＡＣＫＮＯＷＬＥＤＧＥＭＥＮＴ）信号を生成し、サーバ４００に送信する（Ｓ１２）。サーバアプリケーション処理部４１０がこのＡＣＫ信号を受信することで、サーバ４００は移動機２００との間のセッションが承認又は維持されていることを確認できる。
【０１０７】
また、ユーザアプリケーション処理部２４０もＨＥＡＲＴＢＥＡＴ信号を生成して送信し（Ｓ１３）、これに対するＡＣＫ信号をサーバ４００から受信することで（Ｓ１４）、移動機２００もサーバとの間のセッションが維持されていることを確認できる。
【０１０８】
例えば、ユーザアプリケーション処理部２４０やサーバアプリケーション処理部４１０は、ジェネリックチャンクヘッダのタイプ領域に「５」を挿入することで、ＨＥＡＲＴＢＥＡＴ信号に対するＡＣＫ信号を生成することができる。
【０１０９】
このように、セッション維持信号はプロトコルによりその種類が異なる信号となるが、上述したようにセッションが有効であるかを確認するための信号としての機能はいずれも共通している。
【０１１０】
また、上述したように、基地局１００のセッション管理信号生成部１３０と、移動機２００のセッション管理信号生成部２３０は、ユーザデータがセッション維持信号かサービスデータ本体であるかを識別することになるが、例えば、以下のように識別することができる。
【０１１１】
すなわち、ＴＣＰのＫＥＥＰＡＬＩＶＥの場合、例えば、ＴＣＰパケットデータにはＴＣＰヘッダだけが含まれているため、セッション管理信号生成部１３０，２３０は、ＴＣＰパケットデータのサイズから、ＴＣＰパケットデータがＫＥＥＰＡＬＩＶＥ信号か否かを識別できる。
【０１１２】
また、ＳＣＴＰのＨＥＡＲＢＥＡＴの場合、例えば、ジェネリックチャンクヘッダのタイプ領域に含まれる値が「４」であるため、セッション管理信号生成部１３０，２３０は、ジェネリックチャンクヘッダのタイプ領域に含まれる値からＨＥＡＲＢＥＡＴ信号か否かを識別できる。
【０１１３】
図５に戻り、基地局１００は、移動機２００からの上り信号の無線品質を定期的に測定している。例えば、復調・無線測定部１１５は上り信号の無線品質を測定し、測定結果を呼制御部１４５に通知する。
【０１１４】
基地局１００は、上り無線品質が向上していることを検出すると（Ｓ１５）、セッション管理信号生成部１３０に対して、セッション維持信号に対する応答信号の生成及び送信の開始を指示する。
【０１１５】
例えば、上り無線品質（又は上り無線品質の測定結果）について、閾値以上の状態が一定期間連続したことを呼制御部１４５が検出した場合に、上り無線品質が向上していることを検出する。
【０１１６】
また、呼制御部１４５は、例えば、該当する移動機２００のユーザデータが疎通しているサーバ４００向けの有線チャネルに対して、応答信号の生成及び送信の開始を指示することもできる。例えば、呼制御部１４５は、基地局１００配下の各移動機２００について、サーバ４００と疎通する各移動機２００との間のセッションをそれぞれ管理することができ、当該セッションのうち、サーバ４００側との有線チャネルに対して、当該指示を行うことができる。
【０１１７】
基地局１００は、移動機２００に対しても、セッション維持信号に対する応答信号の生成及び送信の開始を指示する（Ｓ１６）。この指示については、例えば、基地局１００の呼制御部１４５と移動機２００の呼制御部２４５との間で交換されるＲＲＣ（Radio Resource Control）メッセージに含まれる呼制御信号を利用して、呼制御部１４５が移動機２００に指示してもよい。または、基地局１００の無線プロトコル処理部１２０と移動機２００の無線プロトコル処理部２２０との間で交換されるＬ１信号による無線チャネル制御信号を利用して、基地局１００が指示することもできる。後者の場合、呼制御部１４５が無線プロトコル処理部１２０に当該指示を行うことで、移動機２００に対して、セッション維持信号に対する応答信号の生成及び送信の開始を指示することができる。
【０１１８】
次いで、基地局１００は、サーバアプリケーション処理部４１０から送信されたセッション維持信号に対する応答信号を生成する（Ｓ１７）。
【０１１９】
応答信号としては、例えば、セッション維持信号とすることもできるし、サーバアプリケーション処理部４１０から送信されたセッション維持信号に対するＡＣＫ信号とすることもできる。
【０１２０】
例えば、ＴＣＰのＫＥＥＰＡＬＩＶＥの場合、サーバアプリケーション処理部４１０とユーザアプリケーション処理部２４０は定期的にＫＥＥＰＡＬＩＶＥ信号（セッション維持信号）を送信している。この場合、セッション管理信号生成部１３０は、応答信号として、ユーザアプリケーション処理部２４０から送信されたＫＥＥＰＡＬＩＶＥ信号を生成し、これをサーバアプリケーション処理部４１０に送信する。具体的には、セッション管理信号生成部１３０は、例えば、サーバアプリケーション処理部４１０から送信されたセッション維持信号の送信元のアドレスと送信先のアドレスとを入れ替えたセッション維持信号を生成する。
【０１２１】
また、ＳＣＴＰのＨＥＡＲＴＢＡＥＴの場合、応答信号は、サーバアプリケーション処理部４１０から送信されたＨＥＡＲＴＢＥＡＴ信号に対して、ユーザアプリケーション処理部２４０から送信されたＡＣＫ信号とすることができる。具体的には、セッション管理信号生成部１３０は、例えば、サーバアプリケーション処理部４１０から送信されたセッション維持信号の送信元のアドレスと送信先のアドレスとを入れ替え、ジェネリックチャンクヘッダのタイプ領域に「５」を挿入したパケットを生成する。これにより、セッション管理信号生成部１３０は、応答信号として、例えばＡＣＫ信号を生成することができる。
【０１２２】
このように、セッション管理信号生成部１３０は、例えば、応答信号として、サーバアプリケーション処理部４１０から送信されたセッション維持信号の送信元と送信先とを入れ替えたセッション維持信号を生成する。または、セッション管理信号生成部１３０は、例えば、応答信号として、サーバアプリケーション処理部４１０から送信されたセッション維持信号に対するＡＣＫ信号を生成する。
【０１２３】
一方、移動機２００も、ユーザアプリケーション処理部２４０から出力されたセッション維持信号に対する応答信号を生成する（Ｓ１８）。
【０１２４】
移動機２００のセッション管理信号生成部２３０についても、呼制御部２４５からの指示に基づいて、応答信号を生成することになる。この応答信号についても、例えば、セッション維持信号とすることもできるし、ユーザアプリケーション処理部２４０から送信されたセッション維持信号に対するＡＣＫ信号とすることができる。  
【０１２５】
具体的には、セッション管理信号生成部２３０は、例えば、ユーザアプリケーション処理部２４０から送信されたセッション維持信号の送信元のアドレスと送信先のアドレスとを入れ替えたセッション維持信号を生成する。または、セッション管理信号生成部２３０は、例えば、ユーザアプリケーション処理部２４０から送信されたセッション維持信号の送信元のアドレスと送信先のアドレスとを入れ替え、ジェネリックチャンクヘッダのタイプ領域に「５」を挿入したパケットを生成する。
【０１２６】
このように、セッション管理信号生成部２３０は、例えば、応答信号として、ユーザアプリケーション処理部２４０から送信されたセッション維持信号の送信元と送信先とを入れ替えたセッション維持信号を生成する。または、セッション管理信号生成部２３０は、例えば、応答信号として、ユーザアプリケーション処理部２４０から送信されたセッション維持信号に対するＡＣＫ信号を生成する。
【０１２７】
そして、基地局１００のセッション管理信号生成部１３０は、サーバアプリケーション処理部４１０からセッション維持信号を受信すると、これを無線チャネルに送信しないで、生成した応答信号をサーバアプリケーション処理部４１０に送信する（Ｓ２０，Ｓ２１）。
【０１２８】
また、移動機２００のセッション管理信号生成部２３０は、ユーザアプリケーション処理部２４０からセッション維持信号を受け取ると、これを無線チャネルに送信しないで、生成した応答信号をユーザアプリケーション処理部２４０に送信する（Ｓ２２，Ｓ２３）。
【０１２９】
このように、上り無線品質が向上しているとき、基地局１００と移動機２００は、セッション維持信号を無線チャネルに送信しないようにしている。これは、例えば、基地局１００と移動機２００との間の無線チャネルにおける無線品質が向上している（或いは無線チャネルの接続状態が良好である）とき、そのような無線チャネルにおいて基地局１００や移動機２００がデータを送信すれば送信先に届くという保証はある程度とれているはずである。
【０１３０】
そのような状況において、例えば、セッションが確立しているかの確認をするために、基地局１００や移動機２００が無線チャネルにおいてセッション維持信号を送信するのは、無線チャネルにおいて無駄なトラヒックとなる可能性がある。更に、無線チャネルにおいては、例えば、無線レイヤ（又は無線プロコトル）においてパイロット信号などにより同期チェックが行われており、無線チャネル上において、２つの信号によりセッション維持の確認が行われることになる。
【０１３１】
そこで、本実施の形態では、上り無線品質が向上している（又は無線チャネルの接続状態が閾値より良好である）とき、基地局１００と移動機２００は、セッション維持信号を送信しないようにすることで、無駄なトラヒックをなくすことができる。また、基地局１００や移動機２００は、セッション維持信号を送信しないため、その分の無線リソースを、他のデータ（例えばサービスデータなど）の送信に利用することができ、無線リソースの有効活用化を図ることもできる。さらに、移動機２００は無線チャネルを介してセッション維持信号を受信しないため、受信にかかる消費電力の削減を図ることができる。
【０１３２】
なお、セッション管理信号生成部１３０，２３０は、セッション維持信号でないサービスデータ本体についてはそのまま移動機２００または基地局１００にそれぞれ送信する（Ｓ１８）。
【０１３３】
＜１．２  下り無線チャネルの品質向上契機で実施される場合＞
上述した例は上り無線品質についての動作例について説明した。下り無線品質の品質向上契機で実施される場合についても、上りの動作例をほぼ同様に実施される。図８は本動作例を表わすシーケンス図である。
【０１３４】
下りの動作例の場合、下り無線品質を測定するのは、例えば移動機２００の方である。すなわち、移動機２００は下り無線品質が向上していることを検出すると（Ｓ３０）、応答信号を生成し（Ｓ１８）、更に、基地局１００に対して下り無線品質が向上していることを通知する（Ｓ３１）。
【０１３５】
例えば、移動機２００の復調・無線測定部２１５は測定した下り無線品質の測定結果を呼制御部２４５に出力し、呼制御部２４５は下り無線品質が閾値以上であることを一定期間連続して検出した場合、下り無線品質が向上していることを検出する。
【０１３６】
また、応答信号については、サーバ４００から送信されたセッション維持信号（例えばＫＥＥＰＡＬＩＶＥ信号）そのものであってり、移動機２００が送信したセッション維持信号（例えばＨＥＡＲＴＢＥＡＴ信号）に対してサーバ４００から送信されたＡＣＫ信号（これも例えばセッション維持信号）とすることができる。
【０１３７】
下り無線品質が向上していることの通知は、例えば、Ｍｅａｓｕｒｅｍｅｎｔ  Ｒｅｐｏｒｔにより行うことができる。図８の例では、セッション管理信号生成部２３０が生成して、送信している例を表わしているが、例えば、呼制御部２４５が無線プロトコル処理部２２０に通知し、無線プロトコル処理部２２０がＭｅａｓｕｒｅｍｅｎｔ  Ｒｅｐｏｒｔを生成し送信しるようにしてもよい。
【０１３８】
基地局１００は、下り無線品質が向上していることの通知を受けると、セッション維持信号に対する応答信号を生成する（Ｓ１７）。応答信号については、例えば、移動機２００から送信されたセッション維持信号であったり、サーバ４００からのセッション維持信号に対する、移動機２００から送信されたＡＣＫ信号とすることもできる。以降は、＜１．１  上り無線チャネルの品質向上契機で実施される場合＞と同様に実施することができる。
【０１３９】
本動作例においても、下り無線品質が向上しているとき（又は良好なとき）、基地局１００と移動機２００は、無線チャネルにおいてセッション維持信号を送信しなため、無駄なトラヒックをなくすことができる。また、基地局１００と移動機２００は、セッション維持信号を送信しないため、その分の無線リソースを、他のデータ（例えばサービスデータなど）の送信に利用することができ、無線リソースの有効活用化を図ることもできる。さらに、移動機２００は無線チャネルを介してセッション維持信号を受信しないため、受信にかかる消費電力の削減を図ることができる。  
【０１４０】
＜２．無線チャネルの接続状態が劣化した場合＞
次に無線チャネルの接続状態が劣化した場合の動作例について説明する。本動作例においても、例えば、無線チャネルの接続状態は無線チャネルの無線品質に対応する。
【０１４１】
図９は上り無線チャネルの品質劣化（例えば接続状態が閾値より劣化）を契機で実施される場合の動作例、図１０は下り無線チャネルの品質劣化契機で実施される場合の動作例を表わすシーケンス図である。
【０１４２】
ただし、いずれの場合も、説明を容易にするため、無線チャネルの接続状態が閾値より良好な場合（例えば図５と図８）から動作が開始されるものとする。図９及び図１０において、上述した動作例において同一の処理の部分には同一の符号が付されている。
【０１４３】
図９に示すように、無線チャネルの接続状態が閾値より良好（上り無線チャネルでも下り無線チャンネルでもどちらでもよい）のため、セッション維持信号が無線チャネルに送信されず、応答信号がサーバアプリケーション処理部４１０とユーザアプリケーション処理部２４０に送信される（Ｓ２０〜Ｓ２３）。
【０１４４】
次いで、基地局１００は上り無線品質の劣化を検出する（Ｓ４０）。例えば、呼制御部１４５は、復調・無線測定部１１５で測定された上り無線品質の測定結果を受け取り、上り無線品質が閾値以下であることを一定期間連続して検出した場合、上り無線品質の劣化を検出する。
【０１４５】
次いで、基地局１００は、移動機２００に上り無線品質の劣化を通知し（Ｓ４１）、セッション維持信号に対する応答信号の生成及び送信の停止を指示する（Ｓ４２）。
【０１４６】
例えば、上り無線品質の劣化の通知は、上述した例と同様に、基地局１００は、呼制御メッセージとして通知してもよいし、無線レイヤの制御信号として通知してもよい。
【０１４７】
また、例えば、呼制御部１４５が応答信号の生成及び送信の停止をセッション管理信号生成部１３０に指示し、セッション管理信号生成部１３０がこの指示を受けて、応答信号の生成及び送信を停止する。セッション管理信号生成部１３０は、サーバアプリケーション処理部４１０から送信されたユーザデータ（サービスデータもセッション維持信号も）を、移動機２００に送信する（Ｓ４４〜Ｓ４８）。
【０１４８】
一方、移動機２００は、上り無線品質の劣化の通知を受けて、セッション維持信号に対する応答信号の生成及び送信の停止を指示する（Ｓ４３）。
【０１４９】
例えば、呼制御部２４５は、無線プロトコル処理部２２０などを介して上り無線品質の劣化の通知を受け取ると、セッション管理信号生成部２３０に対して、応答信号の生成及び送信の停止を指示する。セッション管理信号生成部２３０は、この指示を受けて、応答信号の生成及び送信を停止し、ユーザアプリケーション処理部２４０から送信されたユーザデータ（サービスデータもセッション維持信号も）を基地局１００に送信する（Ｓ４４〜Ｓ４８）。
【０１５０】
図１０は、下り無線チャネルの品質劣化契機で実施される場合の動作例を表わす図である。移動機２００において下り無線品質の劣化を検出すると（Ｓ５０）、セッション管理信号生成部２３０に対して、応答信号の生成及び送信の停止を指示する（Ｓ４３）。また、移動機２００は、下り無線品質の劣化を基地局１００に通知する（Ｓ５１）。
【０１５１】
基地局１００は、下り無線品質の劣化の通知を受けて、セッション管理信号生成部１３０に対して、応答信号の生成及び送信の停止を指示する（Ｓ４２）。
【０１５２】
この停止の指示を受けて、例えば、セッション管理信号生成部１３０は、サーバアプリケーション処理部４１０から送信されたユーザデータを移動機２００に送信する（Ｓ４４〜Ｓ４８）。また、セッション管理信号生成部２３０も、例えば、ユーザアプリケーション処理部２４０から送信されたユーザデータを基地局１００に送信する（Ｓ４４〜Ｓ４８）。
【０１５３】
このように、本動作例では、下り無線品質が劣化すると、基地局１００と移動機２００は、セッション維持信号を無線チャネルに送信するようにしている。これは、例えば、無線プロトコルにおける無線信号の送受信ができるかどうか保証できないような状態で、それよりも上位プロトコルのセッション維持信号の送受信を停止すると、サーバ４００と移動機２００との間ではセッションが確立しているか否か確認できない場合がある。このような場合は、基地局１００と移動機２００はセッション維持信号を無線チャネルに送信するようにしている。これにより、例えば、サーバ４００と移動機２００は、セッションが確立しているか否かの確認を確実に行うことができる。
【０１５４】
＜３．無線チャネルの接続が切断した場合＞
次に無線チャネルの接続が切断した場合の動作例について説明する。図１１は、無線チャネルが切断した場合の動作例を表わすシーケンス図である。
【０１５５】
基地局１００と移動機２００はユーザデータの送受信を行い（Ｓ１０〜Ｓ１４）、その後、基地局１００は上り無線チャネルの同期外れを検出する（Ｓ６０）。
【０１５６】
例えば、復調・無線測定部１１５は、移動機２００から送信された上り無線信号を捕捉できなくなったことを検出した場合、同期外れであるとして、呼制御部１４５に対して、移動機２００との間の無線チャネルの接続断を通知する。例えば、復調・無線測定部１１５は、受信した上り無線信号が有意な無線フレームフォーマットに復調及び復号できない状態が一定期間継続した場合、同期外れであることを検出する。
【０１５７】
そして、基地局１００は、移動機２００との間の上り無線チャネルについて、同期外れを検出すると、セッション切断信号をサーバアプリケーション処理部４１０に送信する（Ｓ６２）。
【０１５８】
例えば、呼制御部１４５はセッション管理信号生成部１３０に対して、セッション切断信号の生成及び送信を指示する。セッション管理信号生成部１３０は、この指示を受けて、セッション切断信号を生成し、サーバ４００に送信する。この場合、セッション管理信号生成部１３０は、例えば、該当する移動機２００のユーザデータが疎通するサーバ４００向けの有線チャネルに対して、セッション切断信号を生成し送信する。
【０１５９】
セッション切断信号の例としては、例えば、ＴＣＰプロトコルの場合、ＴＣＰヘッダの「ＦＩＮ」フラグ（例えば図６）の領域をオンにしたＴＣＰパケットとすることができる。又は、セッション切断信号の例として、例えば、ＳＣＴＰプロトコルの場合、ジェネラルチャンクヘッダ（例えば図７（Ｂ)）のタイプ領域に「７」（シャットダウン）が挿入されたＳＣＴＰパケットとすることができる。
【０１６０】
一方、移動機２００においても、下り無線チャネルの同期外れを検出すると（Ｓ６１）、セッション切断信号をユーザアプリケーション処理部２４０に送信する（Ｓ６３）。
【０１６１】
例えば、復調・無線測定部２１５は、移動機２００から送信された下り無線信号を捕捉できなくなったことを検出した場合、同期外れであるとして、呼制御部２４５に対して、基地局１００との間の無線チャネルの接続断を通知する。例えば、復調・無線測定部２１５は、受信した下り無線信号が有意な無線フレームフォーマットに復調及び復号できない状態が一定期間継続した場合、同期外れであることを検出する。
【０１６２】
そして、呼制御部２４５は、例えば、セッション管理信号生成部２３０に対して、セッション切断信号の生成及び送信を指示する。セッション管理信号生成部２３０は、この指示を受けて、セッション切断信号を生成し、ユーザアプリケーション処理部２４０に送信する。セッション切断信号の例としては、ＴＣＰヘッダの「ＦＩＮ」フラグ（例えば図６）の領域をオンにしたＴＣＰパケットや、ジェネラルチャンクヘッダ（例えば図７（Ｂ)）のタイプ領域に「７」が挿入されたＳＣＴＰパケットを利用することができる。
【０１６３】
本動作例では、このように、基地局１００と移動機２００において無線チャネルの同期外れを検出すると、セッション切断信号をサーバアプリケーション処理部４１０とユーザアプリケーション処理部２４０にセッション切断信号をそれぞれ送信している。
【０１６４】
これにより、例えば、無線チャネルが不通になっていることを基地局１００や移動機２００で検出すると、すぐに、無線プロトコルより上位レイヤのプロトコル（例えばＴＣＰプロトコルなど）においてセッション切断信号が通知されることになる。この場合、セッション切断信号の通知を受けた、サーバ４００や移動機２００は、ユーザデータの送信を速やかに停止することができる。そのため、無線チャネルが不通になってから上位レイヤのセッションが切断されるまでのタイムラグ中にユーザデータが送信されることがなくなり、本移動通信システム１０は無駄なトラヒックを防止することができる。また、例えば、タイムラグ中にユーザデータの送信がなくなることで、移動機２００の消費電力削減を図ることができ、さらに、無線リソースも他のデータの送信に利用することができ無線リソースの有効活用化を図ることもできる。
【０１６５】
＜４．無線チャネルの接続が回復した場合＞
次の動作例として、無線チャネルの接続が断した後、無線チャネルの接続が回復した場合の動作例について説明する。図１２は、無線チャネルの接続が回復した場合の動作例を表わすシーケンス図である。
【０１６６】
基地局１００は、上り無線チャネルの再同期を検出する（Ｓ７０）。再同期については、例えば、復調・無線測定部１１５が移動機２００から送信された無線信号を再補足した場合（例えば、受信した無線信号が有意な無線フレームフォーマットに復調及び復号できた状態が一定期間継続した場合）、再同期であることを検出し、その旨を呼制御部１４５に通知する。呼制御部１４５は、その旨を受けると、セッション確立信号の生成及び送信の指示をセッション管理信号生成部１３０に通知する。
【０１６７】
そして、基地局１００は、セッション確立信号をサーバアプリケーション処理部４１０に送信する（Ｓ７２）。例えば、セッション管理信号生成部１３０は、呼制御部１４５から指示に基づいて、セッション確立信号を生成する。
【０１６８】
セッション確立信号は、例えば、ＴＣＰプロトコルの場合、ＴＣＰヘッダの「ＳＹＮ」フラグ（例えば図６）をオンにしたＴＣＰパケットとしたり、ジェネリックチャンクヘッダのタイプを「１」（イニシエーション）にしたＳＣＴＰパケットとすることができる。
【０１６９】
一方、移動機２００においても、下り無線チャネルの再同期を検出する（Ｓ７１）と、セッション確立信号をユーザアプリケーション処理部２４０に通知する（Ｓ７３）。例えば、復調・無線測定部２１５は、基地局１００から送信された無線信号を再補足した場合、再同期であることを検出し、その旨を呼制御部２４５に通知する。呼制御部２４５は、その旨を受けると、セッション確立信号の生成及び送信の指示をセッション管理信号生成部２３０に通知する。そして、例えば、セッション管理信号生成部２３０は、この指示を受けて、セッション確立信号を生成し、ユーザアプリケーション処理部２４０に通知する。
【０１７０】
サーバ４００と移動機２００は、セッション確立信号の通知を受けて、ユーザデータを互いに送受信する（Ｓ７４〜Ｓ７８）。
【０１７１】
このように、本動作例においては、基地局１００と移動機２００は、無線チャネルの接続が回復した場合、セッション確立信号を送信するようにしている。
【０１７２】
これにより、例えば、無線チャネルが回復したことを基地局１００や移動機２００で検出すると、すぐに、無線プロトコルより上位レイヤのプロトコル（例えばＴＣＰプロトコルなど）においてセッション確立信号が通知されることになる。
【０１７３】
このように、無線チャネルの再開がすぐに上位プロトコルに通知されることができ、セッション切断信号の通知を受けた、サーバ４００や移動機２００は、ユーザデータの送信を速やかに再開することができる。
【０１７４】
［その他の実施の形態］
第２の実施の形態においては、無線チャネルの接続状態が良好な場合などの例について説明したが、例えば、よりサービスに応じた制御を行うこともできる。
【０１７５】
例えば、リアルタイム性が要求されず通信も間欠的に行われるサービス（例えばＷｅｂの閲覧サービス）については、第２の実施の形態で説明した動作を実行し、リアルタイム性が要求され通信が連続的に行われるサービス（例えば通話サービス）は実行しないようにすることができる。
【０１７６】
このような制御は、例えば、サーバ４００から基地局１００に対して、ＱｏＳ（Quality of Service）情報（許容される遅延時間、サービスに必要な帯域、サービスの優先度など）が通知可能であり、基地局１００はＱｏＳ情報に基づいて、本動作例を実行する又はしないを決定し、以後、無線品質の向上や劣化などを検出（Ｓ１５、Ｓ４０）するようにしてもよい。
【０１７７】
あるいは直接、サービスアプリケーションの識別情報が上位プロトコルにおいて送受信されることができれば、基地局１００はそのような識別情報に基づいて、本動作例を実行する又はしないを決定することもできる。
【０１７８】
また、第２の実施の形態において、基地局１００や移動機２００は、生成した応答信号については、セッション維持信号の受信（例えば、図５のＳ２０，Ｓ２２）を待って、サーバアプリケーション処理部４１０又はユーザアプリケーション処理部２４０に送信する例を説明した（例えば、図５，図８〜図１０）。例えば、基地局１００と移動機２００は、セッション維持信号の受信を待たず、生成した応答信号を送信するようにしてもよい。例えば、図５や図８のＳ２０とＳ２１の順番が逆となり、Ｓ２２とＳ２３の順番が逆になってもよい。
【０１７９】
さらに、第２の実施の形態において、例えば、基地局１００と移動機２００は、無線チャネルの接続状態に応じて、セッション維持信号に対する応答信号を生成し、生成した応答信号を送信するものとして説明した。例えば、基地局１００と移動機２００は、予め応答信号を生成しておき、これらをメモリなどに保持し、無線チャネルの接続状態に応じてメモリから対応する応答信号を読み出して、送信するようにしてもよい。
【０１８０】
以上まとめると付記のようになる。
【０１８１】
（付記１）
無線基地局装置と移動機との間で無線通信が行われ、前記無線基地局装置に接続されたサーバ装置と前記移動機との間でセッションの確立を確認するセッション維持信号が送受信される移動通信システムにおけるセッション管理方法であって、
前記無線基地局装置又は前記移動機は、前記無線基地局装置と前記移動機との間の無線チャネルにおける接続状態に応じて、前記サーバ装置又は前記移動機内からそれぞれ送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置又は前記移動機内にそれぞれ送信する、
ことを特徴とするセッション管理方法。
【０１８２】
（付記２）
前記無線基地局装置又は前記移動機は、前記接続状態が閾値よりも良好なとき、前記第１のセッション維持信号を前記無線チャネルに送信しないで、前記第２のセッション維持信号を前記サーバ装置又は前記移動機内にそれぞれ送信することを特徴とする付記１記載のセッション管理方法。
【０１８３】
（付記３）
前記無線基地局装置又は前記移動機は、前記第２のセッション維持信号として、前記第１のセッション維持信号に対して送信元と送信先を入れ替えたセッション維持信号、または、前記第１のセッション維持信号に対してセッションが維持されていることを表わすＡＣＫ信号を送信することを特徴とする付記２記載のセッション管理方法。
【０１８４】
（付記４）
前記無線基地局装置又は前記移動機は、前記第２のセッション維持信号として、前記第１のセッション維持信号として送信されたＫＥＥＰＡＬＩＶＥ信号に対して送信元と送信先を入れ替えたＫＥＥＰＡＬＩＶＥ信号、または、前記第１のセッション維持信号として送信されたＨＥＡＲＴＢＥＡＴ信号に対してセッションが維持されていることを表わすＡＣＫ信号を送信することを特徴とする付記３記載のセッション管理方法。
【０１８５】
（付記５）
前記無線基地局装置又は前記移動機は、前記第１のセッション維持信号として送信された、ＴＣＰデータ領域にデータが挿入されていないＴＣＰパケットデータに対して、送信元のアドレスと送信先のアドレスとを入れ替えたＴＣＰパケットデータ、又は、前記第１のセッション維持信号として送信されたＳＣＴＰパケットデータに対して、送信元のアドレスと送信先のアドレスとを入れ替え、ジェネリックチャンクヘッダのタイプ領域に「５」を挿入されたＳＣＴＰパケットデータを、前記第２のセッション維持信号として送信することを特徴とする付記４記載のセッション管理方法。
【０１８６】
（付記６）
前記無線基地局装置又は前記移動機は、前記接続状態が閾値より劣化したとき、前記第２のセッション維持信号の送信を停止し、前記第１のセッション維持信号を前記無線チャネルに送信することを特徴とする付記１記載のセッション管理方法。
【０１８７】
（付記７）
前記無線基地局装置又は前記移動機は、前記無線チャネルにおける無線品質に基づいて前記接続状態を判別することを特徴とする付記２または６に記載のセッション管理方法。
【０１８８】
（付記８）
前記無線基地局装置又は前記移動機は、前記無線チャネルの無線品質が向上しているか劣化しているかの判別結果を前記移動機又は前記無線基地局装置にそれぞれ送信し、
前記移動機又は前記無線基地局装置は前記判別結果に基づいて前記接続状態を判別することを特徴とする付記７に記載のセッション管理方法。
【０１８９】
（付記９）
前記無線基地局装置又は前記移動機は、前記接続状態が接続断の状態になったとき、前記セッション切断信号を前記サーバ装置又は前記移動機内にそれぞれ送信することを特徴とする付記１記載のセッション管理方法。
【０１９０】
（付記１０）
前記無線基地局装置又は前記移動機は、前記移動機又は前記無線基地局装置との間の無線チャネルにおいて前記移動機又は前記無線基地局装置から送信された無線信号を捕捉できないときに、前記接続状態が接続断の状態になったと判別することを特徴とする付記９記載のセッション管理方法。
【０１９１】
（付記１１）
前記無線基地局装置又は前記移動機は、前記セッション切断信号として、ＴＣＰヘッダのＦＩＮフラグをオンにしたＴＣＰパケットデータ、又は、ジェネリックチャンクヘッダのタイプ領域に「７」を挿入したＳＣＴＰパケットデータを送信することを特徴とする付記９記載のセッション管理方法。
【０１９２】
（付記１２）
前記無線基地局装置又は前記移動機は、前記接続状態が接続断から接続の状態に回復したとき、前記セッション確立信号を送信することを特徴とする付記１記載のセッション管理方法。
【０１９３】
（付記１３）
前記無線基地局装置又は前記移動機は、前記移動機又は前記無線基地局装置との間の無線チャネルにおいて前記移動機又は前記無線基地局装置から送信された無線信号を再度補足したとき、前記接続状態が接続断から接続の状態に回復したと判別することを特徴とする付記１２記載のセッション管理方法。
【０１９４】
（付記１４）
前記無線基地局装置又は前記移動機は、前記セッション確立信号として、ＴＣＰヘッダのＳＹＮフラグをオンにしたＴＣＰパケットデータ、又は、ジェネリックチャンクヘッダのタイプ領域に「１」を挿入したＳＣＴＰパケットデータを送信することを特徴とする付記１２記載のセッション管理方法。
【０１９５】
（付記１５）
移動機と無線通信を行い、サーバ装置と接続され、前記サーバ装置と前記移動機との間でセッションの確立を確認するセッション維持信号が送受信される無線基地局装置において、
前記移動機との間の無線チャネルにおける接続状態に応じて、前記サーバ装置から送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置に送信するセッション管理信号生成部
を備えることを特徴とする無線基地局装置。
【０１９６】
（付記１６）
無線基地局装置と無線通信を行う移動機において、
前記無線基地局装置と接続されたサーバ装置との間でセッションの確立を確認するセッション維持信号を送受信するアプリケーション処理部と、
前記無線基地局装置との間の無線チャネルにおける接続状態に応じて、前記アプリケーション処理部から出力された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を前記アプリケーション処理部に送信する、
ことを特徴とする移動機。
【０１９７】
（付記１７）
無線基地局装置と移動機との間で無線通信が行われ、前記無線基地局装置に接続されたサーバ装置と前記移動機との間でセッションの確立を確認するセッション維持信号が送受信される移動通信システムにおいて、
前記無線基地局装置又は前記移動機は、前記無線基地局装置と前記移動機との間の無線チャネルにおける接続状態に応じて、前記サーバ装置又は前記移動機内からそれぞれ送信された第１のセッション維持信号を前記無線チャネルに送信しないで前記第１のセッション維持信号に対する第２のセッション維持信号、セッションが切断したことを表わすセッション切断信号、又はセッションが回復したことを表わすセッション確立信号を、前記サーバ装置又は前記移動機内にそれぞれ送信するセッション管理信号生成部をそれぞれ備えることを特徴とする移動通信システム。
【符号の説明】
【０１９８】
１０：移動通信システム                
１００（１００−１〜１００−３）：無線基地局装置（基地局）
１１５：復調・無線測定部              １２０：無線プロトコル処理部
１３０：セッション管理信号生成部      １３５：ネットワークプロトコル処理部
１４５：呼制御部                      
２００（２００−１〜２００−４）：移動機
２１５：復調・無線測定部              ２２０：無線プロコトル処理部
２３０：セッション管理信号生成部      ２４０：ユーザアプリケーション処理部
２４５：呼制御部                      ４００：サーバ（サーバ装置）
４１０：サーバアプリケーション処理部
【図１】
2013211747.tif 000003
【図２】
2013211747.tif 000004
【図３】
2013211747.tif 000005
【図４】
2013211747.tif 000006
【図５】
2013211747.tif 000007
【図６】
2013211747.tif 000008
【図７】
2013211747.tif 000009
【図８】
2013211747.tif 000010
【図９】
2013211747.tif 000011
【図１０】
2013211747.tif 000012
【図１１】
2013211747.tif 000013
【図１２】
2013211747.tif 000014
【図１３】
2013211747.tif 000015